(57)【要約】【課題】目皿を通過した髪の毛などのごみを容易に取り出すことができるとともに清掃も容易で、しかも臭気、小バエ、蚊などの生活空間への逆流を確実に防止でき、衛生的な生活を営む上で必要な排水構造を提供する。【解決手段】排水を排水口１から排水管４を通じて外部に排出するための排水構造において、排水口１には目皿３が着脱自在に配置され、目皿３の下方には目皿３を通過した排水を受ける第１受け部材５が配設されるとともに、第１受け部材５の下方に第１受け部材５から流出する排水を受ける第２受け部材６が配設され、第１受け部材５と第２受け部材６とは上下にオバーラップして配置されて排水トラップが構成され、排水トラップを通過した排水が排出されるようになされている。第１受け部材５が目皿３と一体的に設けられている。少なくとも第１受け部材５の内部底面には、目皿３を通過したごみが引っかかる引っ掛かり部５２が形成されている。【選択図】  図１
2004190227.tif 000002
【特許請求の範囲】
【請求項１】
排水を排水口から排水管を通じて外部に排出するための排水構造において、
前記排水口には目皿が着脱自在に配置され、該目皿の下方には目皿を通過した排水を受ける第１受け部材が配設されるとともに、第１受け部材の下方に第１受け部材から流出する排水を受ける第２受け部材が配設され、これら第１受け部材と第２受け部材とは上下にオバーラップして配置されて排水トラップが構成され、この排水トラップを通過した排水が排出されるようになされたことを特徴とする排水構造。
【請求項２】
前記第１受け部材が前記目皿と一体的に設けられてなることを特徴とする請求項１記載の排水構造。
【請求項３】
前記第１受け部材及び第２受け部材は、排水口部に着脱自在に嵌入配置されて目皿を支持する本体部に一体的に設けられたことを特徴とする請求項１記載の排水構造。
【請求項４】
少なくとも前記第１受け部材の内部底面には、目皿を通過したごみが引っかかる引っ掛かり部が形成されたことを特徴とする請求項１、２又は３記載の排水構造。
【発明の詳細な説明】
【０００１】
【発明の属する技術分野】
本発明は、例えば浴室などに設けられる排水口の排水構造に関するものである。
【０００２】
【従来の技術】
従来、排水構造として、例えば浴室では、洗い場の床面に形成された排水口の上面開口に目皿が着脱自在に配置されており、洗い場で使用された湯水などの排水は上記目皿を通過して排水口の下部に設けられたトラップ部を通じて排水管に排出されるようになされている（例えば、特許文献１参照）。
【０００３】
【特許文献１】
特開平９−１２５４８０号公報
【０００４】
【発明が解決しようとする課題】
しかしながら、上記従来の排水構造では、排水とともに目皿を通過した髪の毛などはトラップ部に溜まってしまうことが多く、このように排水口底部のトラップ部に溜まった髪の毛などは目皿を取外して手などで取り出さなければならず、清掃が大変であるとともに、衛星的にも好ましくないという問題があった。
【０００５】
本発明は、上記問題点に鑑みてなされたもので、その目的とするところは、目皿を通過した髪の毛などのごみを容易に取り出すことができるとともに、清掃も容易で衛星的な排水構造を提供することにある。
【０００６】
【課題を解決するための手段】
請求項１に係る発明の排水構造は、排水を排水口から排水管を通じて外部に排出するための排水構造において、前記排水口には目皿が着脱自在に配置され、該目皿の下方には目皿を通過した排水を受ける第１受け部材が配設されるとともに、第１受け部材の下方に第１受け部材から流出する排水を受ける第２受け部材が配設され、これら第１受け部材と第２受け部材とは上下にオバーラップして配置されて排水トラップが構成され、この排水トラップを通過した排水が排出されるようになされたものである。
【０００７】
請求項２に係る発明の排水構造は、前記第１受け部材が前記目皿と一体的に設けられてなるものである。
【０００８】
請求項３に係る発明の排水構造は、前記第１受け部材及び第２受け部材が、排水口部に着脱自在に嵌入配置されて目皿を支持する本体部に一体的に設けられたものである。
【０００９】
請求項４に係る発明の排水構造は、少なくとも前記第１受け部材の内部底面には、目皿を通過したごみが引っかかる引っ掛かり部が形成されたものである。
【００１０】
【発明の実施の形態】
以下、本発明の実施の形態を図面を参照して説明する。
【００１１】
図１は、本発明の排水構造を示している。
【００１２】
図１において１は、例えば浴室の洗い場の床面Ａに設けられた排水口で、この排水口１には排水部本体２が設けられている。排水部本体２は、その上面開口に複数の通孔３ａが形成された目皿３が着脱自在に設けられるとともに、底面に排出口２１が形成され、この排出口２１に排水管４が連結されている。
【００１３】
そして、この排水部本体２内において前記目皿３の下方には、第１受け部材５が配設されるとともに、第１受け部材５の下方に第２受け部材６が配設されている。
【００１４】
第１受け部材５は、目皿３の通孔３ａを通過した排水を受けるためのもので、内部に所定量の排水が貯留されるように湾曲状の凹部に形成されており、一端部５１が目皿３に一体的ち連設されている。
【００１５】
また、第１受け部材５の内面には、複数の突起部５２が設けられている。この突起部５２は目皿３を排水とともに通過した髪の毛などのごみを引っ掛けるための引っ掛かり部を構成するものである。
【００１６】
第２受け部材６は、上記第１受け部材５から流出する排水を受けるためのもので、排水部本体２の底面から上方に湾曲状に延設されている。この第２受け部材６は、排水部本体２の底部の一部２２とで前記排出口２１を避けるようにして凹部６１を形成しており、当該凹部６１内に所定量の排水が貯留されるようになされている。従って上記凹部６１から溢れ出す排水は排水部本体２の底面に流出し排出口２１から排水管４を通じて外部に排出されることになる。
【００１７】
ここで、上記第１受け部材５と第２受け部材６とは、第１受け部材５の底部が上記凹部６１内に上下に所定長さオーバーラップした状態で配置されるようになされており、これにより排水トラップを構成するようにしている。つまり、凹部６１内に貯留される排水により排出口２１側と目皿３側とが遮蔽され、これにより排水管４側からの臭気、小バエ、蚊などの生活空間への逆流を確実に防止でき、衛生的にも優れたものとして当該衛生的な生活を営む上で必要な排水構造を提供することができる。
【００１８】
このような排水構造とすることで、洗い場で使用された湯水などの排水は目皿３を通過してまず第１受け部材５に導入されて当該第１受け部材５に所定量の排水が貯留される。そして、引き続き排水が導入されるとこの導入された排水量に応じた量が第１受け部材５を越流して第２受け部材６に導入されて所定量の排水が貯留され、さらに排水が導入されることでこの導入された排水量に応じた量が第２受け部材６を越流して排出口２１に導かれる。
【００１９】
つまり、目皿３を通過した排水は第１受け部材５に一旦受け入れられた後に、第１受け部材５と第２受け部材６とで構成した排水トラップを通過して排出口２１から排水管４を通じて排出される。
【００２０】
この際、排水とともに目皿３を通過した髪の毛などのごみは、当該排水とともに第１受け部材５に一旦受け入れられることから、この第１受け部材５内に設けられた突起部５２に引っかかって溜まることになる。
【００２１】
そして、目皿３を排水口１から取り外すことで、当該目皿３に一体的に設けられた第１受け部材５も同時に取り外すことができるため、第１受け部材５に溜まったごみを容易に除去することができる。
【００２２】
また、取り外した第１受け部材５は、排水口１の外部で放水などで容易に清掃することができる。さらに、第１受け部材５を取り外したことで、第２受け部材６にも直接の放水や薬剤による清掃を行うことができ、第１受け部材５を通過して第２受け部材６にごみが侵入したとしてもこのごみも容易に除去することができる。これにより上述した臭気等の逆流防止効果と相まって衛生的にも優れた排水構造を提供することができる。
【００２３】
図２は、本発明の排水構造の他の実施の形態を示している。
【００２４】
この排水構造は、道路の路肩Ｂなどに設けられた排水口１０に施されたもので、この排水口１０には本体部としての排水部本体２０が設けられている。
【００２５】
排水部本体２０は、排水口１０の平面形状に合致する中空体に形成されており、排水口１０内に着脱自在に嵌入されるようになされている。この排水部本体２０の上面開口には複数の通孔３０ａが形成された目皿３０が着脱自在に設けられるとともに、下端開口２０１が排水口１０の底部に連通されている。
【００２６】
そして、この排水部本体２０内において前記目皿３０の下方には、第１受け部材５０が配設されるとともに、第１受け部材５０の下方に第２受け部材６０が配設されている。
【００２７】
第１受け部材５０は、目皿３０の通孔３０ａを通過した排水を受けるためのもので、内部に所定量の排水が貯留されるように湾曲状の凹部に形成されており、一端部５０１が排水部本体２０の上部に一体的に連設されている。
【００２８】
また、第１受け部材５０の内面には、複数の突起部５０２が設けられている。この突起部５０２は目皿３０を排水とともに通過したごみを引っ掛けるための引っ掛かり部を構成するものである。
【００２９】
第２受け部材６０は、上記第１受け部材５０から流出される排水を受けるためのもので、内部に所定量の排水が貯留されるように湾曲状の凹部に形成されており、一端部６０１が排水部本体２０の上部に一体的に連設されている。
【００３０】
つまり、排水部本体２０には、第１受け部材５０及び第２受け部材６０が一体的に設けられている。
【００３１】
そして、上記第２受け部材６０から溢れ出す排水は、排水部本体２０の下端開口２０１から排水口１０の底部に落下して、排水口１０の底部に形成された排水溝１０１を通じて排出される。
【００３２】
ここで、上記第１受け部材５０と第２受け部材６０とは、第１受け部材５０の底部が第２受け部材６０内に上下に所定長さオーバーラップした状態で配置されるようになされており、これにより排水トラップを構成するようにしている。つまり、第２受け部材５０内に貯留される排水により排水口１０の底部側と目皿３０が設けられた排水口１０の上面開口側とが遮蔽され、これにより排水口１０底部側からの臭気が目皿３０側外部に逆流しないようにしている。
【００３３】
このように構成された排水構造によれば、道路の路肩Ｂなどに設けられている既存の排水口１０に排水部本体２０を上方から嵌入し、この排水部本体２０の上面開口に目皿３０を嵌め込むことによって容易に施工することができる。この際、目皿３０は、もともと排水口１０に設けられている既存のものを用いることもできる。また、必要であれば適宜な固定手段により排水部本体２０を排水口１０に固定すればよい。
【００３４】
このような排水構造とすることで、雨水などの排水は目皿３０を通過してまず第１受け部材５０に導入されて当該第１受け部材５０に所定量の排水が貯留される。そして、引き続き排水が導入されるとこの導入された排水量に応じた量が第１受け部材５０を越流して第２受け部材６０に導入されて所定量の排水が貯留され、さらに排水が導入されることでこの導入された排水量に応じた量が第２受け部材６０を越流して排水口１０の底部に落下する。
【００３５】
つまり、目皿３０を通過した排水は第１受け部材５０に一旦受け入れられた後に、第１受け部材５０と第２受け部材６０とで構成した排水トラップを通過して排水口１０の底部に落下し、排水溝１０１を通じて排出される。
【００３６】
この際、排水とともに目皿３０を通過した吸殻などのごみは、当該排水とともに第１受け部材５０に一旦受け入れられることから、この第１受け部材５０内に設けられた突起部５０２に引っかかって溜まることになる。
【００３７】
そして、目皿３０を排水部本体２０から取り外すとともに、排水部本体２０も排水口１０から引き抜くことで、第１受け部材５０に溜まったごみを容易に除去することができる。従来においては、路肩Ｂなどの排水口１０には、その底部に捨てられた吸殻などが溜まって灰皿の如くなっているが、本発明の排水構造により排水口１０の底部への吸殻などの落下を極力防止できる。
【００３８】
また、取り外した排水部本体２０は排水口１０の外部で放水などにより容易に清掃することができ、これにより清潔に使用することができ衛生的にも優れた排水構造を提供することができる。
【００３９】
なお、本実施の形態では、引っ掛かり部として突起部５２、５０２について説明したが、引っ掛かり部としては突起部５２、５０２だけに限らず、第１受け部材５、５０の底面にネットを敷設することで当該引っ掛かり部を構成するようにしてもよい。また、第１受け部材５、５０だけでなく、第２受け部材６、６０にも引っ掛かり部を設けてもよい。
【００４０】
さらに、第１受け部材５、５０でごみを捕捉する上では、本実施の形態のように突起部５２、５０２を設けた方がより効果的ではあるが、第１受け部材５、５０だけでもごみの捕捉効果が得られる場合には、当該突起部５２、５０２は必ずしも必要ではない。
【００４１】
【発明の効果】
以上述べたように、本発明の排水構造によれば、排水口に目皿を着脱自在に配置し、該目皿の下方には目皿を通過した排水を受ける第１受け部材を配設するとともに、第１受け部材の下方に第１受け部材から流出する排水を受ける第２受け部材を配設し、これら第１受け部材と第２受け部材とを上下にオバーラップして配置して排水トラップを構成し、この排水トラップを通過した排水を排出するようにしたことで、目皿を通過した髪の毛などのごみを第１受け部材で受けて容易に除去することができるとともに、臭気、小バエ、蚊などの生活空間への逆流を確実に防止でき、これにより衛生的にも優れたものとして、当該衛生的な生活を営む上で必要な排水構造を提供することができる。
【図面の簡単な説明】
【図１】本発明の排水構造を示す断面図である。
【図２】本発明の排水構造の他の例を示す断面図である。
【符号の説明】
１  排水口
２  排水部本体（本体部）
３  目皿
４  排水管
５  第１受け部材
５２  突起部（引っ掛かり部）
６  第２受け部材
１０  排水口
２０  排水部本体（本体部）
３０  目皿
５０  第１受け部材
５０２  突起部（引っ掛かり部）
６０  第２受け部材
【図１】
2004190227.tif 000003
【図２】
2004190227.tif 000004